(57)【要約】【課題】衛生的でコンパクトで携帯性があり、いつでも、どこでも使用可能で、しかも使い捨て可能なドックフード製品を提供する。【解決手段】ドッグフード１１を収容したフード容器１２と飲料水を収容した水容器１４とが独立に形成されて横方向に連結されている。フード容器１２と水容器１４との各開口面は、容器上面に接着するトップシール１６により密閉されている。必要に応じてフード容器１２と水容器１４との間に、副食物２１を収容した副食容器２２を設ける。フード容器１２と水容器１４とは、プラスチック成形体であり、これらの連結部には分離可能に破断線１８が設けられている。トップシール１６にもフード容器１２と水容器１４との境界に破断線２０が設けられている。ドッグフード１１と飲料水とを分別して密封収容できる。【選択図】図１
0003111287.tif 000002
【実用新案登録請求の範囲】
【請求項１】
それぞれ独立に形成されて横方向に連結された、ドッグフードを収容したフード容器及び飲料水を収容した水容器と、
前記フード容器と前記水容器の各開口面を、容器上面に接着されて密閉するトップシールとを備えたことを特徴とするドッグフード製品。
【請求項２】
請求項１に記載のドッグフード製品において、
前記フード容器と前記水容器とは、プラスチック成形体であり、これらの連結部には、分離可能に破断線が設けられていることを特徴とするドッグフード製品。
【請求項３】
請求項１又は２に記載のドッグフード製品において、
前記フード容器と前記水容器との間に、副食物を収容した副食容器を設けたことを特徴とするドッグフード製品。
【請求項４】
請求項１又は２に記載のドッグフード製品において、
前記フード容器と前記水容器の開口面が同一水平面であることを特徴とするドッグフード製品。
【請求項５】
請求項１〜４のいずれかに記載のドッグフード製品において、
前記トップシールに、前記フード容器と前記水容器の境界に沿って分離可能にする破断線を設け、かつ前記破断線の一端部に剥がし用タブを設けたことを特徴とするドッグフード製品。
【考案の詳細な説明】
【技術分野】
【０００１】
本考案は、携帯性があり、使い捨て可能なドッグフード製品に関する。
【背景技術】
【０００２】
従来から犬猫等のペットのための食品用容器は種々案出されている。例えば、異なる形状を有する複数の仕切りが形成されるトレイからなるものがある。この仕切りは上向きに開いている。仕切りの形状に対応する形状を有し、使用後には破棄することが可能である。取り外し可能な容器を受け入れることが可能である。容器開口面に対応するため、その一辺においてフレームにヒンジされたカバーを有している。複数の仕切りは様々なフードを入れるためのものである（特許文献１）。
【特許文献１】特開１０−４２７３７号公報
【考案の開示】
【考案が解決しようとする課題】
【０００３】
ところで、上記の技術には、次のような解決すべき課題があった。
すなわち、容器内の１つの空間が多目的にいくつかに仕切られているが、仕切りやカバーによって各空間が独立密閉されている訳でないので、ドッグフードと飲料水を一緒に収容することはできない。
【０００４】
本考案は、以上の点に着目してなされたもので、ドッグフードと飲料水とを分別して密封収容でき、衛生的でコンパクトで携帯性があり、いつでも、どこでも使用可能で、しかも使い捨て可能なドックフード製品を提供することを目的とする。
【課題を解決するための手段】
【０００５】
本考案の実施例においては、次のような構成により上記の課題を解決する。
〈構成１〉
それぞれ独立に形成されて横方向に連結された、ドッグフードを収容したフード容器及び飲料水を収容した水容器と、上記フード容器と上記水容器の各開口面を、容器上面に接着されて密閉するトップシールとを備えたことを特徴とするドッグフード製品。
【０００６】
ドッグフードと飲料水とを分別して密封収容でき、衛生的でコンパクトで携帯性があり、いつでも、どこでも使用可能で、しかも使い捨て可能である。
【０００７】
〈構成２〉
構成１に記載のドッグフード製品において、上記フード容器と上記水容器とは、プラスチック成形体であり、これらの連結部には、分離可能に破断線が設けられていることを特徴とするドッグフード製品。
【０００８】
フード容器と水容器とを簡単に分離できる。また、プラスチック製であるから薄くて軽量であり、持ち運び容易である。
【０００９】
〈構成３〉
構成１又は２に記載のドッグフード製品において、上記フード容器と上記水容器との間に、副食物を収容した副食容器を設けたことを特徴とするドッグフード製品。
【００１０】
食料の量や栄養バランスの調整ができる。
【００１１】
〈構成４〉
構成１又は２に記載のドッグフード製品において、上記フード容器と上記水容器の開口面が同一水平面であることを特徴とするドッグフード製品。
【００１２】
フード容器と水容器の各開口面を、同一のトップシールで密閉でき、トップシールの貼付け作業が簡単である。
【００１３】
〈構成５〉
構成１〜４のいずれかに記載のドッグフード製品において、上記トップシールに、上記フード容器と上記水容器の境界に沿って分離可能にする破断線を設け、かつ上記破断線の一端部に剥がし用タブを設けたことを特徴とするドッグフード製品。
【００１４】
フード容器と水容器のいずれかを分離保存する場合に好都合である。トップシール外周から僅かに突出する舌片部を指先で摘んで剥がす場合に比べて、トップシールが剥がし易い。
【考案を実施するための最良の形態】
【００１５】
以下、本考案の実施の形態を説明する。
【実施例１】
【００１６】
図１は実施例１のドックフード製品を示す斜視図、図２はその使用状況を示す斜視図である。
これらの図において、実施例１のドッグフード製品は、ドッグフード１１を収容したフード容器１２と飲料水１３を収容した水容器１４とが独立に形成されて横方向に連結され、かつフード容器１２と水容器１４との各開口面が、容器上面に接着するトップシール１６で密閉されて構成されている。
【００１７】
フード容器１２と水容器１４とは、適当な大きさのプラスチック成形体であり、これらの連結部には、分離可能に破断線１８が設けられている。トップシール１６は、裏面に粘着材を塗ってある、薄いプラスチックあるいは紙のシールである。フード容器１２と水容器１４の開口面が同一水平面であれば、図１に示すように、同一、すなわち、１枚のトップシール１６で密閉でき、トップシール１６の貼付け作業を簡単にする。
【００１８】
トップシール１６に、フード容器１２と水容器１４の境界に沿って分離可能にする破断線２０が設けられている。この破断線２０は、フード容器１２と水容器１４の連結部に設けられた破断線１８と一致するように設けられても、あるいは図１に示すように多少ずれて設けられても、どちらでもよい。
【００１９】
また、トップシール１６の破断線２０の一端部に、フード容器１２と水容器１４とからトップシール１６を剥がし易いように、２つの剥がし用タブ２４がそれぞれ設けられている。これらの剥がし用タブ２４は、例えば、図示のように三角形をなす部分であり、フード容器１２や水容器１４の上面に接着され、あるいは非接着状態とされている。剥がし用タブ２４がフード容器１２や水容器１４に接着されている場合には、フード容器１２や水容器１４に、三角形をなす剥がし用タブ２４の大きさで破断分離できるように破断線が設けられていることが好ましい。
【００２０】
剥がし用タブ２４を使用した場合は、次の効果がある。すなわち、従来から、ヨーグルト等の食品容器を密閉するのに使用されているトップシールに、外周から僅かに突出する舌片部を設けたものが知られている。このような舌片部を指先で摘まんで引張ってトップシールを容器から剥がしているが、手指力が弱い老人、子供、女性には難しい作業である。さらに、力を込めて舌片部の剥離作業中に手指が舌片部から外れて容器の角に当たり怪我をするおそれがある。
【００２１】
これに対して、本考案の剥がし用タブ２４を使用する場合は、剥がし用タブ２４を摘んでトップシールを容器から剥がすことによって、図２に示すように、トップシール１６の周縁と破断線２０とに沿ってスムーズに剥がすことができるので、上記弊害を防止できる。
【００２２】
剥がし用タブ２４が、前述したように、フード容器１２や水容器１４に接着されている場合には、剥がし用タブ２４を摘んでトップシールを容器から剥がす際に、フード容器１２や水容器１４の一部が三角形の小片となって破断分離すると共に、この小片が剥がし用タブ２４と一体となる。従って、剥がし用タブ２４が厚肉状態となって摘み易くなり、剥がし作業が、よりスムーズになる。
【実施例２】
【００２３】
図３は実施例２のドックフード製品を示す斜視図、図４はその使用状況を示す斜視図であり、図１、図２と同一部分には同一符号を付している。
このドッグフード製品は、図３に示すように、フード容器１２と水容器１４との間に、副食物２１を収容した副食容器２２を設けたものである。副食物２１により、食料の量や栄養バランスの調整ができる。副食容器２２は、フード容器１２と水容器１４と同様にプラスチック成形体であり、その開口面がトップシール１６により密閉されている。副食物２１としては、例えばドッグ用ガム（食べられて歯磨き効果がある。）がある。
【００２４】
上記したように、本考案のドッグフード製品は、ドッグフード１１と飲料水１３とを分別して密封収容でき、コンパクトで携帯性があり、いつでも、屋内外どこでも使用可能で、しかも使い捨て可能である。また、携帯し易い大きさなので、犬との散歩や旅行に持ち歩ける。また、保存可能で、衛生的であり、コンビニエンスストア等でも取り扱うことができる。コンビニエンスストアで取り扱えば、入手容易である。
【図面の簡単な説明】
【００２５】
【図１】実施例１のドックフード製品を示す斜視図である。
【図２】同ドックフード製品の使用状況を示す斜視図である。
【図３】実施例２のドックフード製品を示す斜視図である。
【図４】同ドックフード製品の使用状況を示す斜視図である。
【符号の説明】
【００２６】
１１  ドッグフード
１２  フード容器
１３  飲料水
１４  水容器
１６  トップシール
１８  破断線
２０  破断線
２１  副食物
２２  副食容器
２４  剥がし用タブ
【図１】
0003111287.tif 000003
【図２】
0003111287.tif 000004
【図３】
0003111287.tif 000005
【図４】
0003111287.tif 000006